(57)【要約】【課題】準備開始から利用可能になるまでに時間のかかる家庭内機器と、放送番組やコンテンツの再生装置とを組み合わせて使う場合、ユーザが放送番組やコンテンツの視聴に専念可能であり、さらに、再生が終了した区切りのよいタイミングで家庭内機器を利用可能とする家庭内機器連携システムを提供する。【解決手段】この家庭内機器連携システムは、放送受信装置やコンテンツを再生する映像機器などの再生装置と、指定された時刻に、設定された温度および水量で浴槽内に給湯を完了するようにスケジュール可能な給湯装置をネットワークで接続したものである。前記再生装置は、受信中の放送番組の番組終了予定時刻や、視聴中のコンテンツの再生終了予定時刻を前記給湯装置へ送信し、前記給湯装置は、受信した前記コンテンツの再生終了予定時刻に、設定された温度および水量で前記浴槽に給湯を完了するようにスケジュールする。【選択図】図１
2009049852.tif 000002
【特許請求の範囲】
【請求項１】
コンテンツの再生装置と、指定された時刻に、設定された温度および水量で浴槽内に給湯を完了するようにスケジュール可能な給湯装置をネットワークで接続した家庭内機器連携システムであって、
前記再生装置は、前記ネットワークを介して前記コンテンツの再生終了予定時刻を送信し、
前記給湯装置は、前記ネットワークを介して受信した前記コンテンツの再生終了予定時刻に、設定された温度および水量で前記浴槽に給湯を完了するようにスケジュールすることを特徴とする家庭内機器連携システム。
【請求項２】
請求項１に記載の家庭内機器連携システムにおいて、前記再生装置は、放送番組を受信する放送受信装置であって、受信中の放送番組の番組終了予定時刻を前記コンテンツの再生終了予定時刻として前記給湯装置へ送信することを特徴とする家庭内機器連携システム。
【請求項３】
請求項１に記載の家庭内機器連携システムにおいて、前記再生装置は、パッケージメディアを再生する映像機器であって、視聴中のパッケージメディアの再生終了予定時刻を前記給湯装置へ送信することを特徴とする家庭内機器連携システム。
【請求項４】
請求項１に記載の家庭内機器連携システムにおいて、前記再生装置は、サーバに蓄積されたコンテンツを再生する映像機器であって、視聴中のコンテンツの再生終了予定時刻を前記給湯装置へ送信することを特徴とする家庭内機器連携システム。
【請求項５】
請求項１乃至４のいずれかに記載の家庭内機器連携システムにおいて、前記再生装置は、再生中のコンテンツの終了予定時刻が変更されたときに、前記ネットワークを介して前記変更された再生終了予定時刻を送信し、前記給湯装置は、前記ネットワークを介して受信した前記変更された再生終了予定時刻に、設定された温度および水量で前記浴槽に給湯を完了するように再スケジュールすることを特徴とする家庭内機器連携システム。
【請求項６】
請求項１乃至５のいずれかに記載の家庭内機器連携システムにおいて、前記給湯装置は、前記浴槽内の水を払ってから、新たに給湯するようにスケジュールすることを特徴とする家庭内機器連携システム。
【請求項７】
請求項１乃至５のいずれかに記載の家庭内機器連携システムにおいて、前記給湯装置は、前記浴槽内に張られた水に加えて、設定された温度および水量で前記浴槽に給湯を完了するようにスケジュールすることを特徴とする家庭内機器連携システム。
【請求項８】
請求項１乃至７のいずれかに記載の家庭内機器連携システムにおいて、前記再生装置は、前記給湯装置から受信された給湯開始や給湯完了のメッセージを表示することを特徴とする家庭内機器連携システム。
【請求項９】
請求項８に記載の家庭内機器連携システムにおいて、前記再生装置は、再生中のコンテンツの区切りで前記メッセージを表示することを特徴とする家庭内機器連携システム。
【請求項１０】
請求項８または９に記載の家庭内機器連携システムにおいて、前記再生装置は、前記メッセージと同時、あるいは、前記メッセージの代わりに、予め記憶保存されていた、音楽、静止画、動画を再生することを特徴とする家庭内機器連携システム。
【請求項１１】
請求項１乃至１０のいずれかに記載の家庭内機器連携システムにおいて、前記再生装置は、前記給湯装置から得た給湯完了に必要な時間が、再生中のコンテンツの再生終了までの残り時間より長いときには、給湯完了に必要な時間内に収まるように複数のコンテンツを選択可能なことを特徴とする家庭内機器連携システム。
【請求項１２】
請求項１乃至１１のいずれかに記載の家庭内機器連携システムにおいて、前記再生装置は、ユーザが入浴したことを検出して、コンテンツ再生情報を消去することを特徴とする家庭内機器連携システム。
【請求項１３】
請求項１乃至１１のいずれかに記載の家庭内機器連携システムにおいて、前記再生装置は、再生終了時刻より前に入浴したことを検出し、再生途中のコンテンツを浴室内に設置した再生装置に転送して再生するようにしたことを特徴とする家庭内連携システム。
【請求項１４】
コンテンツを再生可能な再生装置において、指定された時刻に、設定された温度および水量で浴槽内に給湯を完了するようにスケジュール可能な給湯装置に、ネットワークを介して、前記コンテンツの再生終了予定時刻を送信することを特徴とする再生装置。
【請求項１５】
指定された時刻に、設定された温度および水量で浴槽内に給湯を完了するようにスケジュール可能で、ネットワークに接続可能な給湯装置において、前記ネットワークを介して受信したコンテンツの再生終了予定時刻に、設定された温度および水量で前記浴槽に給湯を完了するようにスケジュールすることを特徴とする給湯装置。
【請求項１６】
コンピュータを、請求項１乃至１３のいずれかに記載の家庭内機器連携システム、または、請求項１４に記載の再生装置、または、請求項１５に記載の再生装置として機能させるためのプログラム。
【請求項１７】
コンピュータが読み取り可能な記録媒体であって、請求項１６に記載のプログラムを記録したことを特徴とする記録媒体。
【発明の詳細な説明】
【技術分野】
【０００１】
本発明は、家庭内機器連携システム、再生装置、給湯装置、並びに、プログラムおよび記録媒体に関し、具体的には、家庭内機器である映像機器や給湯器等を連携させるシステムに関する。
【背景技術】
【０００２】
最近の給湯器システムにおいては、給水、給湯、温度設定等も容易になってきており、家庭内の風呂の給湯も自動化されている。さらに、給湯器とその遠隔操作装置とが相互に有線または無線によって接続され、給湯器と遠隔操作装置間においてデータ通信システムを構築したものが提供されている。
【０００３】
これに伴って、特許文献１のような遠隔制御装置においては、遠隔制御装置より制御対象のある家庭へ電話し給湯器を制御する指示を入力し、電話回線等を用いることにより、家庭内の機器を制御ができるようになっている。
例えば、外出先から浴槽にお湯を適量入れる制御を行う場合には、給湯器への給湯指示後に、お湯の量の状態を遠隔制御装置に知らせるようになっている。
【０００４】
一方、近年、放送はデジタル化され、番組情報の取得も容易である。さらに、映像機器にて再生されるコンテンツもデジタル化さているため、再生完了時間を知ることも容易である。これに伴って、特許文献２のようなＡＶシステムでは、再生中の映画等の残り時間が所定の時間になったことに応じて、操作対象の家電機器の駆動を開始させる。これにより、ユーザは、映画終了後直ぐに風呂に入ったり、コーヒーを飲んだりすることができる。
【特許文献１】特開２００１−３２６９８０号公報
【特許文献２】特開２００６−５８２１号公報
【発明の開示】
【発明が解決しようとする課題】
【０００５】
しかしながら、特許文献１のように、従来の家庭内の映像機器と給湯器とは連携しておらず、ユーザが予め、入浴を希望する時間に合わせて、給湯器を動作させる必要があった。さらに、ユーザが放送やコンテンツの視聴に夢中になった場合、せっかく沸かした湯が冷めてしまい、再び給湯もしくは、追い炊きする必要があった。
【０００６】
一方、特許文献２の技術に特許文献１の技術を組み合わせた場合には、再生中の映画等の残り時間が所定の時間になったことに応じて、操作対象の家電機器（給湯器）の駆動を開始させることができ、ユーザは、映画終了後直ぐに風呂に入ることができる。
【０００７】
しかしながら、スポーツ番組等のように放送時間が延長されたり、来客や電話などで再生を一時停止したり、早送り再生するような場合には、残り時間が一定しないため、操作対象の家電機器の駆動開始を最適に制御できなくなる。このような場合には、結局、ユーザが家電機器の駆動開始を指示してやらなければならなくなってしまう。
【０００８】
本発明は、上述のような実情を考慮してなされたものであって、準備開始から利用可能になるまでに時間のかかる家庭内機器と、放送番組やコンテンツの再生装置とを組み合わせて使う場合、ユーザが放送番組やコンテンツの視聴に専念可能であり、さらに、再生が終了した区切りのよいタイミングで家庭内機器を利用可能とする家庭内機器連携システム、再生装置、給湯装置、並びに、プログラムおよび記録媒体を提供することを目的とする。
【課題を解決するための手段】
【０００９】
上記課題を解決するために、本発明の家庭内機器連携システムは、次のような構成をとる。
【００１０】
本発明の家庭内機器連携システムは、放送番組を受信する放送受信装置や、パッケージメディアやサーバに蓄積されたコンテンツを再生する映像機器などの再生装置と、指定された時刻に、設定された温度および水量で浴槽内に給湯を完了するようにスケジュール可能な給湯装置をネットワークで接続したものである。
前記再生装置は、受信中の放送番組の番組終了予定時刻や、視聴中のコンテンツの再生終了予定時刻を前記給湯装置へ送信し、前記給湯装置は、受信した前記コンテンツの再生終了予定時刻に、設定された温度および水量で前記浴槽に給湯を完了するようにスケジュールする。
【００１１】
また、前記再生装置は、放送時間の延長や放送開始時間の遅れ、あるいは、ユーザによる一時停止、早送り、スロー再生などの特殊再生操作により、再生中のコンテンツの終了予定時刻が変更されたときには、前記変更された再生終了予定時刻を送信し、前記給湯装置は、受信した前記変更された再生終了予定時刻に、設定された温度および水量で前記浴槽に給湯を完了するように再スケジュールするようにした。
このスケジュールには、前記浴槽内の水を払ってから新たに給湯する場合と、前記浴槽内に張られた水に加えて、設定された温度および水量で前記浴槽に給湯を完了する場合とがある。
【００１２】
さらに、前記給湯装置は、給湯開始や給湯完了のときに、前記ネットワークを介してそれらを識別可能とするメッセージを報知する。
前記再生装置では、前記給湯装置から受信された給湯開始や給湯完了のメッセージを表示する。前記メッセージは、再生中のコンテンツの区切り、例えば、コマーシャルやチャプタの区切りで表示するようにしてもよい。また、前記メッセージと同時、あるいは、前記メッセージの代わりに、予め記憶保存されていた、音楽、静止画、動画を再生するものとしてもよい。
【００１３】
また、前記再生装置は、前記給湯装置から得た給湯完了に必要な時間が、再生中のコンテンツの再生終了までの残り時間より長いときには、給湯完了に必要な時間内に収まるように複数のコンテンツを選択して再生するようにし、給湯完了までの手持ち無沙汰を解消する。
【００１４】
また、前記再生装置では、入浴したことが検出された場合、コンテンツ再生情報を消去して、コンテンツの再生を終了するようにしてもよいし、あるいは、再生終了時刻より前に入浴したことが検出された場合には、再生途中のコンテンツを浴室内に設置した再生装置に転送するようにして、残りのコンテンツを視聴可能にしてもよい。
【００１５】
また、上述した構成の家庭内機器連携システム、再生装置、給湯装置として、コンピュータを機能させるためのプログラムを作成しておき、または、そのプログラムをコンピュータ読み取り可能な記録媒体に記録しておき、このプログラムをコンピュータで実行することによっても上記課題を解決することができる。
【発明の効果】
【００１６】
本発明によれば、ユーザは、放送番組やコンテンツの視聴に専念可能であり、さらに、再生が終了した区切りのよいタイミングで、適温適量の風呂に入浴が可能になる。
したがって、追い炊きする必要もないため、省エネルギー化がはかれる。
【発明を実施するための最良の形態】
【００１７】
以下、図面を参照して本発明の家庭内機器連携システムに係る好適な一実施形態について説明する。
【００１８】
本実施形態では、家庭内機器を再生装置と風呂の給湯装置から構成される家庭内機器連携システムを例にして説明するが、駆動開始から所定の時間後に利用可能となる家庭内機器と再生装置を連携して使用する場合にも容易に適用することができる。
【００１９】
図１は、本実施形態に係る家庭内機器連携システムの１例を示すブロック図である。同図における家庭内機器連携システムは、ＡＶ機器（映像機器）１、第１人体センサ２、無線ＬＡＮ（Local Area Network）  ＡＰ（Access Point）、サーバ４、移動端末５、ルータ６、給湯装置（給湯器）７、浴槽８、第２人体センサ９、リモコン１０、アンテナ１１、水温センサ１２、水量センサ１３から構成される。
【００２０】
本実施形態における再生装置は、ＡＶ機器１や移動端末５のいずれであっても適用可能であるが、以下ではＡＶ機器１を例にして説明する。移動端末５を再生装置とする場合、ＡＶ機器１が備える各手段を移動端末５でも備えるものとする。
【００２１】
ルータ６は、インターネットに接続されるとともに、家庭内の機器をＬＡＮで接続する機器である。以降、このＬＡＮを家庭内ＬＡＮとよび、ＤＬＮＡ（Digital Living Network Alliance）に準拠したプロトコルを用いてもよい。
ＡＶ機器１は、アンテナ１１から放送番組や番組情報を受信が可能な機器、ＣＤ（Compact Disc）、ＤＶＤ（Digital Versatile Disc）、ＢＤ（Blu-Ray Disc）あるいはＨＤ（Hard Disk）等のパッケージメディアに記録されたコンテンツ情報を表示、再生が可能な機器、もしくは、ルータ６を介してインターネットからのコンテンツ情報を受信、保存、表示、再生が可能な機器である。
【００２２】
給湯器７は、水道から供給された水を一旦貯水し、設定温度まで加熱する機能と、浴槽８に供給する加熱済の湯の供給を制御する機能を有する。
さらに、給湯器７は、水道からの給水、加熱の機能や、水量、水温などの情報をリモコン１０と家庭内ＬＡＮを介して通信可能である。
浴槽８は、水温センサ１２と水量センサ１３を備え、浴槽内の湯の温度と水量情報を給湯器７に与える。
【００２３】
リモコン１０は、手入力や家庭内ＬＡＮを介してリモコン１０に湯の適量や、湯の適温や予約タイマ等を入力し、これらの情報を給湯器７に設定する。
また、このリモコン１０は、テキストの表示だけでなく、映像の表示や音声出力が可能であってもよい。例えば、ＡＶ機器１で再生している映像や音声を受け取って、出力できるものとしてもよい。この場合、リモコン１０は、ユーザが浴槽８から見える位置に設置される。
また、ＡＶ機器１で再生している映像や音声を受け取る再生装置を別途設ける場合には、この再生装置を浴槽８から見える位置に設置し、リモコン１０は浴槽８から必ずしも見える位置に配置する必要はない。
【００２４】
第１人体センサ２は、ＡＶ機器１の周辺に設置され、ユーザがＡＶ機器１の周辺に存在していることを検出し、その検出結果を家庭内ＬＡＮに報知する。この場合、ＡＶ機器１は、第１人体センサ２から検出結果を受信し、ユーザがＡＶ機器１の周辺に存在し、コンテンツの視聴を行っている可能性が高いとみなすものとする。また、第１人体センサ２がユーザの存在を感知しなくなったことを報知した場合、ユーザがコンテンツの視聴を止めて、離室したとみなすものとする。
【００２５】
また、第２人体センサ９は、浴室内に設置され、ユーザが浴室内にいることを検出し、その検出結果を家庭内ＬＡＮに対して報知する。この場合、ＡＶ機器１は、第２人体センサ９から検出結果を受信し、ユーザが浴室内に存在し、入浴中である可能性が高いとみなすものとする。
これらの第１人体センサ２や第２人体センサ９は、赤外線検出などで実現可能である。
【００２６】
サーバ４は、インターネットを介してダウンロードされたコンテンツ情報が保存され、家庭内ＬＡＮを介して接続されたＡＶ機器１に、コンテンツ情報を配信することが可能である。
無線ＬＡＮ  ＡＰ３は、移動端末５や他の部屋のＡＶ機器（図示しない）と無線にて家庭内ＬＡＮに接続可能である。
移動端末５は、例えば、携帯電話やＰＤＡ（Personal Digital Assistant）等からなり、無線ＬＡＮ  ＡＰ３と無線接続され、ＡＶ機器１やサーバ４に保存されたコンテンツ情報の視聴や、給湯器７の制御が可能である。
【００２７】
図２は、上記ＡＶ機器（映像機器）１の構成を示すブロック図である。同図におけるＡＶ機器（映像機器）１は、表示部１００、表示制御部１０１、チューナ部１０２、メモリ１０３、主制御部１０４、符号復号化部１０５、記録再生部１０６、操作部１０７、ネットワーク制御部１０８、音声再生部１０９から構成される。
【００２８】
表示部１００は、ＣＲＴや液晶、プラズマなどのディスプレイが用いられ、コンテンツデータ、メッセージ、番組表等が表示される。
表示制御部１０１は、画像データやメニュー、番組表やコンテンツリストなどを表示制御する。
チューナ部１０２は、アンテナやＣＡＴＶから受信されたＲＦ信号を検波して指定された信号を選択する。
符号復号化部１０５は、チューナ部１０２で選択された信号を符号化もしくは復号化され、主制御１０４を介して、画像データを表示制御部１０１へ、音声データを音声再生部１０９へ送る。
【００２９】
音声再生部１０９は、スピーカ等で構成され、音声データをオーディオとして再生する。また、符号復号化部１０５にて、復号化されたデータは、コンテンツデータとして記録再生部１０６に記録される。この記録再生部１０６は、大容量記録媒体としてハードディスクなどで構成される。
【００３０】
メモリ１０３は、主制御部１０４の動作に必要なプログラムが書き込まれているメモリや、演算処理のバッファやワークメモリとして使用される。
操作部１０７は、キーボードやスイッチ、もしくは赤外線リモコン等で構成される。
ネットワーク制御部１０８は、１０／１００ＢＡＳＥ−ＴなどのＬＡＮの通信制御を行い、給湯器７や給湯器７のリモコン１０との通信や、ルータ６を介してインターネットと接続される。さらに、ネットワーク制御部１０８は、人体センサ２，９やサーバ４との通信や、移動端末５との無線通信も行う。
【００３１】
＜実施形態１＞
図３は、本実施形態１に係るＡＶ機器の機能構成を示すブロック図であり、同図において、ＡＶ機器１は、放送番組や番組情報を受信が可能な機能、パッケージメディアに記録されたコンテンツ情報を表示、再生が可能な機能、もしくは、インターネットからのコンテンツ情報を受信、保存、表示、再生が可能な機能に加えて、さらに、制御手段２１、コンテンツ選択手段２２、番組情報取得手段２３、選択コンテンツ記憶手段２４、再生手段２５、入浴指示手段２６、入浴開始時間記憶手段２７、入浴問合手段２８、メッセージ出力手段２９、メッセージ記憶手段３０、消去手段３１、入浴開始時間変更手段３２を備えている。
【００３２】
制御手段２１は、ＡＶ機器１の機能全体の制御を行う。
ユーザは、コンテンツの再生をはじめたい場合には、メニュー等から「コンテンツ再生」の項目を選択指示すると、制御手段２１はコンテンツ選択手段２２を起動する。
【００３３】
また、ユーザは、入浴予定があるときには、ＡＶ機器１の操作部１０７、移動端末５もしくはリモコン１０によって、「入浴予定」をメモリ１０３に予め設定しておく。あるいは、入浴時間を予め決めておきたいときには、メニュー等から「入浴設定」の項目を選択指示すると、制御手段２１は入浴指示手段２６を起動する。
【００３４】
入浴指示手段２６は、制御手段２１から「入浴設定」の指示を受け取ると、ＥＰＧによって番組予約を行わせ、図４に例示したような入浴設定メッセージを表示部１００に出力する。この入浴設定メッセージには、番組名、番組開始時間、番組終了時間および入浴の可否（入浴が再生前／後、入浴する／しない）が表示される。
ユーザが操作部１０７により「入浴の可否」を選択入力すると、入浴指示手段２６は、「入浴しない」の場合には、入浴開始時間記憶手段２７にクリアして実行を終了する。
【００３５】
また、入浴指示手段２６は、「再生後」に「入浴する」が選択入力されると、選択されている番組の終了予定時間を入浴開始時間として入浴開始時間記憶手段２７に記憶し、入浴指示手段２６の実行を終了する。
また、入浴指示手段２６は、「再生前」に「入浴する」が選択入力されると、選択されている番組の開始予定時間を入浴開始時間として入浴開始時間記憶手段２７に記憶し、入浴指示手段２６の実行を終了する。
【００３６】
あるいは、ユーザは、直接入浴開始時間を入力しても良い。この場合には、入浴指示手段２６は、制御手段２１から「入浴設定」の指示を受け取ると、入浴開始時間の入力促進メッセージを表示部１００に出力する。
ユーザが操作部１０７により「入浴開始時間」を入力すると、この入浴開始時間を入浴開始時間記憶手段２７に記憶し、入浴指示手段２６の実行を終了する。
【００３７】
コンテンツ選択手段２２は、番組情報取得手段２３で取得したコンテンツ一覧から、ユーザに視聴したい放送番組や、パッケージメディア中の再生したいコンテンツや、インターネットからダウンロードしたコンテンツを指定させ、指定されたコンテンツに関する情報を選択コンテンツ記憶手段２４に記憶させるとともに、指定されたコンテンツの再生を再生手段２５に指示する。
ここで、選択コンテンツ記憶手段２４には、コンテンツ選択手段２２で選択したコンテンツ（複数可）に対して、コンテンツ名、コンテンツの所在、再生（放送）にかかる時間、ＣＭやチャプタ情報等が記憶される。
【００３８】
また、ドラマのようなコンテンツは、毎日あるいは毎週視聴する習慣性をもつものであり、生活のリズムになっているので、自動的に視聴（再生）を開始する場合は、番組情報取得手段２３で取得したコンテンツ一覧から、ユーザに視聴したい放送番組や、パッケージメディア中の再生したいコンテンツや、インターネットからダウンロードしたコンテンツを指定させ、指定されたコンテンツに関する情報を再生開始時間とともに選択コンテンツ記憶手段２４に記憶させておく。
【００３９】
番組情報取得手段２３は、ＡＶ機器１に接続されているソース（放送、パッケージメディアおよびサーバ４の記憶手段）ごとに、コンテンツ名、コンテンツの所在、再生（放送）にかかる時間、ＣＭやチャプタ情報等からなるコンテンツ一覧を呼び出し元へ出力する。
【００４０】
再生手段２５は、既存のコンテンツ再生機能であり、選択コンテンツ記憶手段２４に記憶されているコンテンツを再生する。
再生手段２５は、起動時に、入浴開始時間記憶手段２７に入浴開始時間が設定されているかを調べ、設定されているときには、家庭内ＬＡＮを介して給湯器７に制御コマンドが送られ、入浴開始時間記憶手段２７に設定されている入浴開始時間を同時に転送する。
また、再生手段２５は、メモリ１０３に「入浴予定」が設定されていると、現在再生中のコンテンツのＣＭやチャクタなどの区切り時間のときに、入浴問合手段２８を起動して「入浴の可否」を問合せる。
【００４１】
入浴問合手段２８は、再生手段２５から「入浴の可否」の問合せを受け取ると、図４に例示したような入浴の可否選択メッセージを表示部１００に出力する。この入浴の可否選択メッセージには、コンテンツ名、再生開始時間、再生終了時間および入浴の可否（入浴する／しない）が表示されるが、ＬＥＤによる表示であっても構わない。
ユーザが操作部１０７により「入浴する」を選択入力すると、入浴問合手段２８は、再生終了時間を入浴開始時間として入浴開始時間記憶手段２７に記憶し、家庭内ＬＡＮを介して給湯器７に制御コマンドが送られ、現在視聴しているコンテンツの再生終了時間を同時に転送し、入浴問合手段２８の実行を終了する。
しかし、ユーザが操作部１０７により「入浴しない」を選択入力すると、入浴問合手段２８の実行を終了する。
【００４２】
メッセージ出力手段２９は、給湯器７から家庭内ＬＡＮを介して送られてきたメッセージをＡＶ機器１の表示部１００へ表示させる。送られてくるメッセージは、「給湯を開始する」および「設定した温度・水量の湯の給湯が完了した」を示すコードであり、これらのコードはメッセージ記憶手段３０を参照することによって、文字列、音楽、静止画、動画のいずれかあるいは組み合わせで出力する。この「給湯完了」のメッセージを表示することで、ユーザに入浴を促すことが可能である。
【００４３】
このメッセージ記憶手段３０には、メッセージのコードに対応して、出力するメッセージの内容を示す文字列、音楽、静止画、動画、あるいは、これらの組み合わせが予め記憶されている。
また、映画や音楽等を視聴中にメッセージが出力されると目障りであるから、選択コンテンツ記憶手段２４を参照して、再生中のコンテンツのＣＭ（コマーシャル）やチャプタなどの区切りのときに、メッセージを出力するようにしてもよい。
【００４４】
スポーツ番組の視聴時など、予定された番組情報に対して、放送時間が延長されたり、放送開始がシフトされて放送終了予定時間が延びたとき、再生終了時間が変更されることがある。
まず、図６を用いて、「放送開始が遅れる」場合における入浴開始時間変更手段３２について説明する。
【００４５】
制御手段２１は、予約されていた番組の開始予定時間になった時に、再び番組情報を確認し、その結果放送時間に変更がなければ、再生手段２５を起動する。給湯器７では、先に設定されている予定に従って給湯が行われる。
図６において、通常予約の場合には、番組が21:00に再生を開始し、同時に、給湯器７に番組終了時間が送られる。その後給湯器７が、終了時間に適量・適温な給湯が終了するために必要な時間Th分動作し、22:55に番組再生終了とほぼ同時に給湯を完了する。
【００４６】
しかし、制御手段２１は、予約されていた番組の開始予定時間になったときに、再び番組情報を確認し、その結果放送時間に変更があれば、入浴開始時間変更手段３２を起動し、放送開始が遅れる場合の処理に入る。
また、再生手段２５は、番組のＣＭやチャプタ等の区切りのときに、再び番組情報を確認し、その結果放送時間が延長されていれば、入浴開始時間変更手段３２を起動し、放送延長の処理に入る。
【００４７】
入浴開始時間変更手段３２は、図６に例示したような入浴の可否選択メッセージを表示部１００に出力する。この入浴の可否選択メッセージには、コンテンツ名、延長後の開始時間、延長後の終了時間および入浴の可否（入浴する／しない）が表示される。
ユーザが操作部１０７により「入浴する」を選択入力すると、入浴開始時間変更手段３２は、延長後の終了時間を入浴開始時間として入浴開始時間記憶手段２７に記憶し、家庭内ＬＡＮを介して給湯器７に制御コマンドが送られ、延長後の終了時間を同時に転送し、入浴開始時間変更手段３２の実行を終了する。
しかし、ユーザが操作部１０７により「入浴しない」を選択入力すると、入浴開始時間記憶手段２７をクリアし、家庭内ＬＡＮを介して給湯器７に入浴中止の制御コマンドが送られ、入浴開始時間変更手段３２の実行を終了する。
【００４８】
図６において、その番組の開始が１５分遅延されたとき、給湯器に遅延したときの終了予定時間を送出し、給湯器は給湯に必要な時間Th分動作し、23:10に番組再生終了とほぼ同時に給湯を完了する。
ここで、時間Thは、適応型に給湯能力が可変可能な給湯器であれば、給湯器自身でThを可変することで対応可能である。
さらに、ＡＶ機器と給湯器間で、あらかじめ能力交換を行っておき、ＡＶ機器がこの時間Th算出することによって、ＡＶ機器が給湯器を制御するようにしてもよい。
【００４９】
また、パッケージメディアやサーバ４に保存されているコンテンツの再生中であっても、来客や電話などで再生を一時停止したり、早送り／早戻し、スロー再生などの特殊再生を指示することによって再生終了時間が変更されることがある。
【００５０】
図７を用いて、この特殊再生における時間変更処理を説明する。この特殊再生は、以下に説明する組み合わせになるが、給湯器７の制御が頻繁にならないように、給湯器７を制御すべき遅延時間や短縮時間の決定には、一定の幅をもたせて実行する。
【００５１】
(a)標準再生の場合：
タイマー機能を有する給湯器の場合は、番組の標準再生時間経過後、再生終了時間（TVend）とほぼ同時に適温・適量の給湯が完了するように、給湯器動作時間THの間動作し、THend時間に停止する。
また、タイマー機能を有さない給湯器の場合は、ＡＶ機器１が、給湯器動作開始時間THstartのタイミングで、給湯器に給湯開始コマンドを送出する。
この標準再生を行う場合、入浴開始時間変更手段３２は動作しない。
【００５２】
(b)早送りの場合：
倍速の場合、倍速再生時間TVfは、標準再生時間の半分の時間に再生時間が短縮されるため、TVend、THend共に時間が繰り上がる。
この場合、入浴開始時間変更手段３２は、入浴開始時間記憶手段２７に記憶された時間から時間（TVf）を差し引いて入浴開始時間記憶手段２７を更新するとともに、家庭内ＬＡＮを介して給湯器７に制御コマンドが送られ、変更後の終了時間を同時に転送する。
この機能は、給湯能力が可変できる給湯器（早焚き機能）であれば対応可能である。
４倍速の場合、再生時間TVfは、標準再生時間の四分の一の時間に再生時間が短縮される。この場合には、入浴開始時間記憶手段２７に記憶された時間から時間（TVf×3）を差し引いて入浴開始時間記憶手段２７を更新する。
【００５３】
(c)スロー再生の場合：
スロー再生が1/2の場合、スロー再生時間Tsは、標準再生時間の倍時間に再生時間が延長されるため、TVend、THend共に繰り下がる。
この場合、入浴開始時間変更手段３２は、入浴開始時間記憶手段２７に記憶された時間に時間（Ts/2）を加えて入浴開始時間記憶手段２７を更新するとともに、家庭内ＬＡＮを介して給湯器７に制御コマンドが送られ、変更後の終了時間を同時に転送する。
スロー再生が1/3の場合、スロー再生時間Tsは、標準再生時間の３倍時間に再生時間が延長される。この場合には、入浴開始時間記憶手段２７に記憶された時間に時間（Ts×2/3）を加えて入浴開始時間記憶手段２７を更新する
【００５４】
(d)一時停止の場合：
一時停止時間がTpの場合は、再生時間がTp分延長されるため、TVend、THend共に繰り下がる。
この場合、入浴開始時間変更手段３２は、入浴開始時間記憶手段２７に記憶された時間に一時停止時間（T p）を加えて入浴開始時間記憶手段２７を更新するとともに、家庭内ＬＡＮを介して給湯器７に制御コマンドが送られ、変更後の終了時間を同時に転送する。
この機能は、給湯時間や能力が可変できる給湯器であれば対応可能である。
【００５５】
消去手段３１は、コンテンツの再生が終了したことを再生手段２５から受信すると、選択コンテンツ記憶手段２４および入浴開始時間記憶手段２７をクリアする。
また、消去手段３１は、コンテンツの再生中に、家庭内ＬＡＮを介して第１人体センサ２から人の存在を感知しないと報知され、さらに、第２人体センサ９から人の存在を感知すると報知された場合、ユーザがコンテンツの視聴を止めて、浴室に移動して入浴しているとみなし、選択コンテンツ記憶手段２４および入浴開始時間記憶手段２７をクリアするとともに、再生手段２５にコンテンツの再生を中止させる。
【００５６】
図８は、本実施形態１に係る給湯器の機能構成を示すブロック図であり、同図において、給湯器７は、水を設定水量まで給水する機能と、設定温度まで加熱する機能と、浴槽８に供給する加熱済みの湯の供給を制御する機能に加えて、さらに、給湯制御手段４１、予定時間設定手段４２、予定時間変更手段４３、メッセージ送信手段４４を備えている。
【００５７】
給湯制御手段４１は、給湯器７の全体を制御するものであり、リモコン１０等から設定される湯の適量や、湯の適温や、浴槽の水を新たに張るかあるいは追い炊きするかの区別や、いつまでに沸かすかのスケジュール等をもとに、水を設定水量まで給水する機能と、設定温度まで加熱する機能と、浴槽８に供給する加熱済みの湯の供給を制御する。
【００５８】
予定時間設定手段４２は、ＡＶ機器１から家庭内ＬＡＮを介して、映像や音楽等の再生が終了する時間を受け取って、給湯制御手段４１に送信する。これにより、給湯制御手段４１は、受信した予定時間に適温、適量の給湯が完了するようにスケジュールする。
【００５９】
予定時間変更手段４３は、ＡＶ機器１から家庭内ＬＡＮを介して、映像や音楽等の再生が終了する時間の変更を受け取って、給湯制御手段４１に送信する。これにより、給湯制御手段４１は、受信した変更された予定時間に適温、適量の給湯が完了するように再スケジュールする。
【００６０】
メッセージ送信手段４４は、「給湯を開始する」および「設定した温度・水量の湯の給湯が完了した」ことを示すコードを給湯制御手段４１から受信すると、家庭内ＬＡＮを介してこのコードをＡＶ機器１へ送信する。
【００６１】
次に、図９を用いて、ＡＶ機器１と給湯器７の連携例を説明する。
【００６２】
ＳＴＥＰ１：
ユーザは、メニューからコンテンツ再生を選択して、コンテンツ選択手段２２により表示されたコンテンツ一覧から所望のコンテンツを選択し、再生手段２５により指定されたコンテンツの再生を行う。このとき、第１人体センサ２はリビングに視聴者が在室していることを家庭内ＬＡＮに報知する。
【００６３】
ここで、ＡＶ機器１のコンテンツは、アンテナ１１で受信した放送コンテンツ、ルータ６を介してインターネットからのコンテンツ、サーバ４に保存されているコンテンツ、あるいは、パッケージメディアに記録されているコンテンツなどである。
【００６４】
ＳＴＥＰ２：
「入浴予定」が設定されていると、現在再生中のコンテンツのＣＭやチャプタなどの区切り時間のときに、図４に例示したような入浴の可否選択メッセージに応答して、「入浴する」を選択入力されると、ＡＶ機器１は再生終了予定時間を入浴開始時間として入浴開始時間記憶手段２７に記憶するとともに、家庭内ＬＡＮを介して給湯器７に制御コマンドが送られ、現在視聴しているコンテンツの再生終了予定時間を同時に転送する。
【００６５】
給湯器７は、予定時間設定手段４２によりコンテンツの再生終了予定時間を受信し、同時刻に適温および適量の給湯が完了するようにスケジューリングする。
給湯器７では、給湯を開始するときには、その旨のメッセージをメッセージ送信手段４４によりＡＶ機器１等に送信する。
【００６６】
ＡＶ機器１のメッセージ出力手段２９は、この「給湯開始」のメッセージを受信し、メッセージ記憶手段２８を参照して、このメッセージの代わりに文字列、音楽、静止画、動画やその組み合わせなどにより、給湯器７が給湯開始状態になったことを知らせる。この出力を再生しているコンテンツのＣＭやチャプタ等の区切りに出力させるようにしてもよい。
【００６７】
ＳＴＥＰ３：
コンテンツの再生終了とともに給湯が完了する。このとき、給湯器７のメッセージ送信手段４４により、その旨のメッセージをＡＶ機器１等に送信する。
ＡＶ機器１のメッセージ出力手段２９は、この「給湯完了」のメッセージを受信し、メッセージ記憶手段３０を参照して、このメッセージの代わりに文字列、音楽、静止画、動画やその組み合わせなどにより、給湯器７が給湯完了状態（入浴できる状態）になったことを知らせる。この出力を再生しているコンテンツのＣＭやチャプタ等の区切りに出力させるようにしてもよい。
その後、ユーザはリビングから浴室に移動するため、第１人体センサ２の検出結果が離室状態にとなり、やがて浴室の第２人体センサ９が在室状態になる。
【００６８】
ＳＴＥＰ４：
再生完了、あるいは、上記の第１人体センサ２および第２人体センサ９の検出結果をもとに、消去手段３１により選択コンテンツ記憶手段２４および入浴開始時間記憶手段２７の内容をクリアする。
【００６９】
以上のような実施形態１の構成により、ユーザは、放送番組やコンテンツの視聴に専念可能であり、さらに、再生が終了した区切りのよいタイミングで、適温・適量の風呂に入浴可能になる。したがって、追い炊きする必要もないため、省エネルギー化がはかれる。
【００７０】
次に、図１０を用いて、コンテンツの視聴時間が延長された場合のＡＶ機器１と給湯器７の連携例を説明する。スポーツ番組の視聴時など、予定された番組情報に対して、放送時間が延長されたり、メディア、保存情報を再生中であっても、来客や電話などで再生を一時停止するなどがあった場合、図９と異なるＳＴＥＰ３以降について説明する。
【００７１】
ＳＴＥＰ３：
ＡＶ機器１は、再生時間が変更されたときには、入浴開始時間変更手段３２により給湯器７に変更された再生の終了予定時間を、家庭内ＬＡＮを介して送信する。
給湯器７は、予定時間変更手段４３により延長された終了予定時間を受信して、給湯制御手段４１に送ることにより、温度や水量のスケジューリングを修正する。
給湯制御手段４１では、給湯を停止してからの温度下降などは、過去の水温センサ１２と水量センサ１３の検出データを参考に、適温、適量になる時間を予測する。
【００７２】
尚、この水温、水量の特性は、水道からの水圧と、外気温が一定であれば、給湯器７と浴槽８がもつ固有な特性になる。また、水圧を考慮するときには、水道と給湯器７間に水圧、流量センサなどを設ければよい。さらに、外気温の影響を考慮するときには、浴室内に外気温センサを設ければよい。
【００７３】
以上のような実施形態１の構成により、放送番組やコンテンツの再生時間が延長された場合であっても、ユーザは、放送番組やコンテンツの視聴に専念可能であり、さらに、再生が終了した区切りのよいタイミングで適温・適量の風呂に入浴することが可能になる。
【００７４】
＜実施形態２＞
上記の実施形態１は、適量・適温の給湯にかかる時間より、コンテンツの再生の終了時間が長い場合についての例であった。しかし、逆に、給湯にかかる時間よりコンテンツの再生時間が短いときには、手持ち無沙汰となってしまう。
【００７５】
本実施形態２では、給湯にかかる時間よりコンテンツの再生時間が短いときには、例えば、図１１に示すように、ＡＶ機器１やサーバ４に保存されているコンテンツと、そのコンテンツを再生するのにかかる時間情報を使用して、給湯に必要な時間内で再生可能なコンテンツリストを自動的に選択し、これを再生することによって、手持ち無沙汰の状況をなくすようにした。
【００７６】
図１１においては、給湯が完了するのに要する時間が３０分であり、ユーザの視聴したいコンテンツ１の再生時間が１０分である場合、２０分の空き時間が生じてしまう。
このため、ＡＶ機器１では、放送番組やサーバ４に保存されているコンテンツからコンテンツ４（再生時間５分）とコンテンツ７（再生時間１５分）とを、ユーザの好みに応じて自動的に選択し、これらのコンテンツ１，４，７とを再生させる。
【００７７】
本実施形態２におけるＡＶ機器１の機能構成は図３と同じであり、給湯器７の機能構成は図１２に示した通りである。同図において、実施形態１と同じ機能を持つものは同じ符号を付し、その相違点についてのみ説明する。図１２において、追加された機能は、到達推定手段４５のみである。
【００７８】
ユーザが入浴設定を指示したときに、入浴指示手段２６は、給湯器７対して適温・適量の給湯が完了するまでの時間を問い合わせる。
そして、給湯器７から給湯完了までにかかる時間（到達時間という）が返信されてくると、入浴指示手段２６は、現在再生中のコンテンツの再生残り時間を計算する。
【００７９】
この再生残り時間が到達時間より小さいときには、番組情報取得手段２３から取得されたコンテンツ一覧の中から、到達時間から再生中のコンテンツの残り時間を差し引いた時間内で再生可能なコンテンツをユーザの好みに応じて選択し、選択したコンテンツを選択コンテンツ記憶手段２４に追加記憶するとともに、再生手段２５に現在再生中のコンテンツの後に、ここで選択したコンテンツを再生させる。
そして、入浴指示手段２６は、現在再生中のコンテンツと選択したコンテンツがすべて再生完了する時間を計算し、この再生完了までの時間を入浴開始時間記憶手段２７に記憶させる。
入浴開始時間記憶手段２７に記憶された入浴開始時間は、再生手段２５で最初のコンテンツが再生されるときに、給湯器７へ送られる。
【００８０】
給湯器７は、ＡＶ機器１から適温・適量の給湯が完了するまでの時間の問い合わせがあると、到達推定手段４５は、給湯制御手段４１に問い合わせて、適温・適量の給湯が完了するまでの時間を得て、家庭内ＬＡＮを介してその完了時間をＡＶ機器１へ返信する。
ここで、給湯制御手段４１は、既知の方法によって、予め設定された水の適量と湯の適温、現在の浴槽８に入っている水の量と温度、水を張りなおすか追い炊きをするかの区別等の情報をもとに、給湯が完了するまでの時間を計算する。
【００８１】
以上のような実施形態２の構成により、給湯にかかる時間より所望のコンテンツの再生時間が短いときであっても、ユーザは、放送番組やコンテンツの視聴に専念可能であり、さらに、手持ち無沙汰となることがなく、再生が終了した区切りのよいタイミングで、適温・適量の風呂に入浴することが可能になる。
【００８２】
＜実施形態３＞
上記の実施形態１および２では、コンテンツの再生終了を待ってから入浴する場合の例である。本実施形態３は、給湯の完了がコンテンツの再生終了より早く、コンテンツの再生終了を待たずに入浴し、再生途中のコンテンツを浴室で視聴する例について説明する。
【００８３】
図１３は、本実施形態３に係るＡＶ機器１の機能構成を示すブロック図であり、同図において、図３と同じ機能については同じ符号を付してある。また、本実施形態３に係る給湯器７の構成は実施形態１および２と同じである。以下では、実施形態１および２と相違する点についてのみ説明する。
【００８４】
ＡＶ機器１の転送手段３３は、コンテンツの再生中に、家庭内ＬＡＮを介して第１人体センサ２から人の存在を感知しないと報知された場合、放送番組は追いかけ再生を開始し、さらに、第２人体センサ９から人の存在を感知すると報知されたときに、追いかけ放送の先頭から家庭内ＬＡＮを介してリモコン１０へ転送する。
【００８５】
また、転送手段３３は、再生中のコンテンツがパッケージメディアのコンテンツやサーバ４に保存されたコンテンツである場合には、第１人体センサ２で人の存在を感知しないときには、一時停止させて、第２人体センサ９から人の存在を感知すると報知されたときに、一時停止を解除して再生を再開して、家庭内ＬＡＮを介してリモコン１０へ転送する。
【００８６】
リモコン１０では、受信したコンテンツを再生する。ここで、浴室内にリモコン１０とは別途に、家庭内ＬＡＮに接続された再生装置が設置されているときには、リモコン１０の代わりにこの再生装置へコンテンツを転送するようにしてもよい。
【００８７】
また、本実施形態３における消去手段３１は、第１人体センサ２に人を感知しなくなっても再生は続けるので、コンテンツの再生が終了したことを再生手段２５から受信したときに、選択コンテンツ記憶手段２４および入浴開始時間記憶手段２７をクリアするようにする。
【００８８】
以上のような実施形態３の構成により、給湯完了がコンテンツの再生終了より早く、コンテンツの再生終了を待たずに入浴した場合でも、ユーザは、放送番組やコンテンツの視聴に専念可能であり、さらに、ユーザの設定した入浴時間に入浴することが可能になる。
【００８９】
尚、本発明は上述した実施形態に限定されず、本発明の要旨を逸脱しない範囲内で各種の変形、修正が可能であるのは勿論である。例えば、実施形態を構成するＡＶ機器や給湯器の各手段として、コンピュータを機能させるプログラムを作成し、予め記録媒体に書き込んでおき、この記録媒体に記録されたこれらのプログラムを当該機器に備えられたメモリあるいは記憶装置に格納し、そのプログラムをＣＰＵ（central processing unit）を用いて実行することによって、本発明の目的が達成されることは言うまでもない。
【００９０】
この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【００９１】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。
【００９２】
あるいは、通信ネットワークや放送波を介して記憶装置に格納された上記プログラムをサーバコンピュータから直接供給を受けるようにしてもよい。この場合、このサーバコンピュータの記憶装置も本発明の記録媒体に含まれる。
【００９３】
このように、上述した実施形態の機能をプログラム化して流通させることによって、コストの低廉化、および可搬性や汎用性を向上させることができる。
【図面の簡単な説明】
【００９４】
【図１】実施形態に係る家庭内機器連携システムの１例を示すブロック図である。
【図２】ＡＶ機器（映像機器）の構成を示すブロック図である。
【図３】実施形態１に係るＡＶ機器の機能構成を示すブロック図である。
【図４】入浴設定メッセージの表示例である。
【図５】入浴の可否選択メッセージの表示例である。
【図６】番組開始が遅延する場合の入浴開始時間変更手段の説明図である。
【図７】再生手段における特殊再生を行ったときの入浴開始時間変更手段の説明図である。
【図８】実施形態１に係る給湯器の機能構成を示すブロック図である。
【図９】ＡＶ機器と給湯器の連携例の説明図である。
【図１０】コンテンツの視聴時間が変更された場合のＡＶ機器と給湯器の連携例の説明図である。
【図１１】適温、適量の給湯が完了するまでに必要な時間が指定されたコンテンツの再生時間より長いときに、自動選択されるコンテンツリストの説明図である。
【図１２】実施形態２に係る給湯器の機能構成を示すブロック図である。
【図１３】実施形態３に係るＡＶ機器の機能構成を示すブロック図である。
【符号の説明】
【００９５】
１…ＡＶ機器（映像機器、再生装置）、２…第１人体センサ、３…無線ＬＡＮ  ＡＰ、４…サーバ、５…移動端末、６…ルータ、７…給湯器（給湯装置）、８…浴槽、９…第２人体センサ、１０…リモコン、１１…アンテナ、１２…水温センサ、１３…水量センサ、２１…制御手段、２２…コンテンツ選択手段、２３…番組情報取得手段、２４…選択コンテンツ記憶手段、２５…再生手段、２６…入浴指示手段、２７…入浴開始時間記憶手段、２８…メッセージ記憶手段、２８…入浴問合手段、２９…メッセージ出力手段、３０…メッセージ記憶手段、３１…消去手段、３２…入浴開始時間変更手段、３３…転送手段、４１…給湯制御手段、４２…予定時間設定手段、４３…予定時間変更手段、４４…メッセージ送信手段、４５…到達推定手段、１００…表示部、１０１…表示制御部、１０２…チューナ部、１０３…メモリ、１０４…主制御、１０４…主制御部、１０５…符号復号化部、１０６…記録再生部、１０７…操作部、１０８…ネットワーク制御部、１０９…音声再生部。
【図１】
2009049852.tif 000003
【図２】
2009049852.tif 000004
【図３】
2009049852.tif 000005
【図４】
2009049852.tif 000006
【図５】
2009049852.tif 000007
【図６】
2009049852.tif 000008
【図７】
2009049852.tif 000009
【図８】
2009049852.tif 000010
【図９】
2009049852.tif 000011
【図１０】
2009049852.tif 000012
【図１１】
2009049852.tif 000013
【図１２】
2009049852.tif 000014
【図１３】
2009049852.tif 000015